(57)【要約】【課題】盛土式プラットホームを桁式ホーム化する際の仮覆工の短時間化を図る。【解決手段】仮ホーム構造のホーム部は、覆工板と、平面状に敷設された複数の覆工板を支持するフレーム部と、フレーム部を支持する横桁部とを備えている。フレーム部は、プラットホームの幅方向に沿って延在する一対の縦根太材と、奥行き方向に沿って延在し、一対の縦根太材の両端部にそれぞれ係合する一対の横根太材と、一対の横根太材を水平面に沿って回動させて、一方の縦根太材を他方の縦根太材に対して接離させることで、縦根太材及び横根太材を折り畳み自在とする折り畳み機構とを有している。ホーム先端部は、プラットホームの長手方向に沿って延在し、横桁部により支持される先端用フレーム部と、平面状に複数敷設され、先端用フレーム部により支持される先端用覆工板とを有している。【選択図】図１
2011196094.tif 000002
【特許請求の範囲】
【請求項１】
盛土式プラットホームを桁式ホーム化する際に用いる仮ホーム構造において、
ホーム部と、前記ホーム部よりも線路側に位置するホーム先端部とを有し、
前記ホーム部は、
覆工板と、
平面状に敷設された複数の前記覆工板を支持するフレーム部と、
プラットホームの奥行き方向に沿って延在して、前記フレーム部を支持する横桁部とを備え、
前記フレーム部は、
前記プラットホームの幅方向に沿って延在する一対の縦根太材と、
前記奥行き方向に沿って延在し、一対の前記縦根太材の両端部にそれぞれ係合する一対の横根太材と、
前記一対の横根太材を水平面に沿って回動させて、一方の前記縦根太材を他方の前記縦根太材に対して接離させることで、前記縦根太材及び前記横根太材を折り畳み自在とする折り畳み機構とを有し、
前記ホーム先端部は、
前記プラットホームの長手方向に沿って延在し、前記横桁部により支持される先端用フレーム部と、
平面状に複数敷設され、前記先端用フレーム部により支持される先端用覆工板とを備えることを特徴とする仮ホーム構造。
【請求項２】
請求項１記載の仮ホーム構造は、
前記ホーム先端部は、前記先端用フレーム部を支持する支保工部を有することを特徴とする仮ホーム構造。
【請求項３】
請求項２記載の仮ホーム構造において、
前記支保工部は、折り畳み自在であることを特徴とする仮ホーム構造。
【請求項４】
請求項１〜３のいずれか一項に記載の仮ホーム構造において、
前記先端用フレーム部は、側面視凹形状の本体部と、前記本体部の先端部に取り付けられた調整部とを備え、
前記調整部は、前記本体部に対して伸縮自在に取り付けられていることを特徴とする仮ホーム構造。
【請求項５】
請求項１〜４のいずれか一項に記載の仮ホーム構造において、
前記覆工板及び前記先端用覆工板は、高さ調整機構を有していることを特徴とする仮ホーム構造。
【請求項６】
請求項１〜５のいずれか一項に記載の仮ホーム構造において、
前記先端用フレーム部と前記先端用覆工板とを固定する固定具を有することを特徴とする仮ホーム構造。
【請求項７】
盛土式プラットホームを桁式ホーム化する桁式ホーム化工法において、
前記プラットホームにおけるホーム部からホーム用化粧板を除去するとともに、前記ホーム部よりも線路側に位置するホーム先端部から先端用化粧板を除去し、
前記ホーム用化粧板及び前記先端用化粧板の除去位置に対して、プラットホームの奥行き方向に沿って延在した横桁部を複数配置し、
前記ホーム部においては、隣接する前記横桁部の上に、覆工板を支持するための折り畳み自在なフレーム部を掛け渡した後、当該フレーム部上に前記覆工板を複数平面状に敷設し、
前記ホーム先端部においては、前記プラットホームの長手方向に沿って延在した先端用フレーム部を、前記横桁部に掛け渡した後、当該先端用フレーム部上に先端用覆工板を複数平面状に敷設し、
前記覆工板、前記先端用覆工板、前記フレーム部及び前記先端用フレーム部を取り除いて、前記横桁部に対してＰＣ板を掛け渡し、当該ＰＣ板上に新たなホーム用化粧板及び先端用化粧板を敷設することを特徴とする桁式ホーム化工法。
【請求項８】
請求項７記載の桁式ホーム化工法において、
前記先端用覆工板は、前記先端用化粧板が除去されてから、前記ＰＣ板が敷設されるまでの間、前記先端用フレーム部に対して着脱自在であることを特徴とする桁式ホーム化工法。
【発明の詳細な説明】
【技術分野】
【０００１】
本発明は、仮ホーム構造及び桁式ホーム化工法に関する。
【背景技術】
【０００２】
従来、盛土式プラットホームをホーム柵新設やホーム改良を行うため、桁式（ＰＣ版造）ホーム化する場合、一旦仮ホーム化して対応していた。ところで、盛土式プラットホームの先端部では、石積ブロック、大谷石ブロック、擁壁コンクリート式などの盛土材を抑えている構造のため、この先端部材と土砂を除去しながらの施工法となり、支保工材や、角材、合板、ゴムマットなどで仮ホーム化を行っていた（例えば特許文献１参照）。
【先行技術文献】
【特許文献】
【０００３】
【特許文献１】特開平８−６８０１５号公報
【発明の概要】
【発明が解決しようとする課題】
【０００４】
しかしながら、稼働中の盛土式プラットホームを営業後に桁式ホームに改修する場合では、夜間の終電から初電までの作業時間は２〜３時間と限られているため、仮ホーム構造の簡素化による施工時間の短時間化が望まれている。
このため、本発明の課題は、盛土式プラットホームを桁式ホーム化する際の仮ホーム構造の簡素化と、桁式ホーム化工法による施工時間の短時間化を図ることである。
【課題を解決するための手段】
【０００５】
請求項１記載の発明は、盛土式プラットホームを桁式ホーム化する際に用いる仮ホーム構造において、
ホーム部と、前記ホーム部よりも線路側に位置するホーム先端部とを有し、
前記ホーム部は、
覆工板と、
平面状に敷設された複数の前記覆工板を支持するフレーム部と、
プラットホームの奥行き方向に沿って延在して、前記フレーム部を支持する横桁部とを備え、
前記フレーム部は、
前記プラットホームの幅方向に沿って延在する一対の縦根太材と、
前記奥行き方向に沿って延在し、一対の前記縦根太材の両端部にそれぞれ係合する一対の横根太材と、
前記一対の横根太材を水平面に沿って回動させて、一方の前記縦根太材を他方の前記縦根太材に対して接離させることで、前記縦根太材及び前記横根太材を折り畳み自在とする折り畳み機構とを有し、
前記ホーム先端部は、
前記プラットホームの長手方向に沿って延在し、前記横桁部により支持される先端用フレーム部と、
平面状に複数敷設され、前記先端用フレーム部により支持される先端用覆工板とを備えることを特徴としている。
【０００６】
請求項２記載の発明は、請求項１記載の仮ホーム構造は、
前記ホーム先端部は、前記先端用フレーム部を支持する支保工部を有することを特徴としている。
【０００７】
請求項３記載の発明は、請求項２記載の仮ホーム構造において、
前記支保工部は、折り畳み自在であることを特徴としている。
【０００８】
請求項４記載の発明は、請求項１〜３のいずれか一項に記載の仮ホーム構造において、
前記先端用フレーム部は、側面視凹形状の本体部と、前記本体部の先端部に取り付けられた調整部とを備え、
前記調整部は、前記本体部に対して伸縮自在に取り付けられていることを特徴としている。
【０００９】
請求項５記載の発明は、請求項１〜４のいずれか一項に記載の仮ホーム構造において、
前記覆工板及び前記先端用覆工板は、高さ調整機構を有していることを特徴としている。
【００１０】
請求項６記載の発明は、請求項１〜５のいずれか一項に記載の仮ホーム構造において、
前記先端用フレーム部と前記先端用覆工板とを固定する固定具を有することを特徴としている。
【００１１】
請求項７記載の発明は、
盛土式プラットホームを桁式ホーム化する桁式ホーム化工法において、
前記プラットホームにおけるホーム部からホーム用化粧板を除去するとともに、前記ホーム部よりも線路側に位置するホーム先端部から先端用化粧板を除去し、
前記ホーム用化粧板及び前記先端用化粧板の除去位置に対して、プラットホームの奥行き方向に沿って延在した横桁部を複数配置し、
前記ホーム部においては、隣接する前記横桁部の上に、覆工板を支持するための折り畳み自在なフレーム部を掛け渡した後、当該フレーム部上に前記覆工板を複数平面状に敷設し、
前記ホーム先端部においては、前記プラットホームの長手方向に沿って延在した先端用フレーム部を、前記横桁部に掛け渡した後、当該先端用フレーム部上に先端用覆工板を複数平面状に敷設し、
前記覆工板、前記先端用覆工板、前記フレーム部及び前記先端用フレーム部を取り除いて、前記横桁部に対してＰＣ板を掛け渡し、当該ＰＣ板上に新たなホーム用化粧板及び先端用化粧板を敷設することを特徴としている。
【００１２】
請求項８記載の発明は、請求項７記載の桁式ホーム化工法において、
前記先端用覆工板は、前記先端用化粧板が除去されてから、前記ＰＣ板が敷設されるまでの間、前記先端用フレーム部に対して着脱自在であることを特徴としている。
【発明の効果】
【００１３】
本発明によれば、フレーム部が折り畳み自在となっているので、従来のように角材、合板、ゴムマットなどで仮覆工を行う場合よりも簡素化することができる。
また、ホーム部とホーム先端部とが、別個の構造となっているので、ホーム先端部においては、ホーム部に制約されることなく先端部特有の構造とすることができる。これにより、ホーム部とホーム先端部それぞれに適切な構造とすることができ、それに応じて作業も簡素化することができる。
これらのことにより、桁式ホーム化工法の施工時間の短時間化が可能となる。
【図面の簡単な説明】
【００１４】
【図１】本実施形態の仮ホーム構造を示す斜視図である。
【図２】図１のII−II切断線からみた断面図である。
【図３】図１における覆工板を設置する前のフレーム部を示す上面図である。
【図４】本実施形態のフレーム部単体を示す上面図である。
【図５】図４のフレーム部を折り畳んだ状態を示す上面図である。
【図６】図１の仮ホーム構造に備わる先端用フレーム部の概略構成を示す上面図である。
【図７】図６のＶＩＩ−ＶＩＩ切断線から見た先端用フレーム部の概略構成を示す側面図である。
【図８】本実施形態の支保工部の概略構成を示す正面図である。
【図９】図８の支保工部を折り畳んだ状態を示す斜視図である。
【図１０】図１の仮ホーム構造の設置時の一工程を示す説明図であり、（ａ）は断面図、（ｂ）は正面図である。
【図１１】図１の仮ホーム構造の設置時の一工程を示す説明図であり、（ａ）は断面図、（ｂ）は正面図である。
【図１２】図１の仮ホーム構造の撤去時を示す説明図であり、（ａ）は断面図、（ｂ）は正面図である。
【図１３】図１１の一工程の変形例を示す説明図であり、（ａ）は断面図、（ｂ）は正面図である。
【図１４】図１２の撤去時の変形例を示す説明図であり、（ａ）は断面図、（ｂ）は正面図である。
【発明を実施するための形態】
【００１５】
以下、図を参照して本発明を実施するための最良の形態を詳細に説明する。図１は、本実施形態の仮ホーム構造を示す斜視図であり、図２は図１のII−II切断線からみた断面図である。なお、図１における一点鎖線Ｐは、プラットホームにおける改修対象でない基部を示している。
【００１６】
図１及び図２に示すように、仮ホーム構造１は、ホーム部１００と、ホーム部１００よりも線路側に位置するホーム先端部２００とを有する。
ホーム部１００は、覆工板１０と、複数の覆工板１０を支持するフレーム部２０と、プラットホームＰの奥行き方向Ｙに沿って延在して、フレーム部２０を支持するＨ形鋼からなる横桁部３０とを備えている。
【００１７】
覆工板１０は、金属製の長尺な板状部材であり、図１に示すようにプラットホームＰの幅方向Ｘに沿って延在するように配置されている。そして覆工板１０は複数奥行き方向Ｙに沿って配列されることで、平面状に敷設されている。なお、図１の点線部分に示すように、短尺な板状部材を覆工板１０ａとして用いる場合は、覆工板１０ａを奥行き方向Ｙに沿って延在させることも可能である。この場合、覆工板１０ａは複数幅方向Ｘに沿って配列されることで、平面状に敷設されることになる。
また、図２に示すように覆工板１０の裏面には、位置決め用の切欠１１が形成されている。
【００１８】
図３は、覆工板１０を設置する前のフレーム部２０を示す上面図であり、図４はフレーム部２０単体を示す上面図である。この図３及び図４に示すように、フレーム部２０は、幅方向Ｘに沿って延在する一対の縦根太材２１，２２と、奥行き方向Ｙに沿って延在し、一対の縦根太材２１，２２の両端部にそれぞれ係合する一対の横根太材２３，２４とを有する。また、一対の縦根太材２１，２２の中央部には、横根太材２３，２４と平行な補助根太材２９が係合している。
【００１９】
図２に示すように、縦根太材２１，２２の下面には、横桁部３０に固定するための固定穴２５が形成されている。また、横根太材２３，２４の上面には、その両端部に覆工板１０の切欠１１に係合する位置決めピン２６が設けられている。
【００２０】
ここで、一対の縦根太材２１，２２と、一対の横根太材２３，２４及び補助根太材２９とは、これらを折り畳み自在とする折り畳み機構５０を介して連結されている。折り畳み機構５０は、図３及び図４に示すように、縦根太材２１，２２の両端部及び中央部に取り付けられた断面視コ字状の連結片５１と、横根太材２３，２４及び補助根太材２９の両端部に取り付けられ、連結片５１に回動自在に軸支される軸体５２とを有する。横根太材２３，２４及び補助根太材２９は、図２に示すように連結片５１の内側に配置されている。
【００２１】
そして、折り畳み機構５０を介して一対の横根太材２３，２４及び補助根太材２９を水平面に沿って回動させて、一方の縦根太材２１を他方の根太材２２に対して接近させると、図５に示すように、縦根太材２１，２２、横根太材２３，２４及び補助根太材２９が折り畳まれることになる。
図５に示す折り畳み状態から、再度折り畳み機構５０を介して一対の横根太材２３，２４及び補助根太材２９を水平面に沿って回動させて、一方の縦根太材２１を他方の根太材２２から離間させると、図４に示すように、縦根太材２１，２２、横根太材２３，２４及び補助根太材２９が展開されることになる。
【００２２】
横桁部３０には、図２に示すように、縦根太材２１，２２の固定穴２５に挿通されてネジ止めされる固定ネジ３１が設けられている。
【００２３】
また、図１に示すように、ホーム先端部２００は、プラットホームの長手方向に沿って延在し、横桁部３０により支持される先端用フレーム部２１０と、平面状に複数敷設され、先端用フレーム部２１０により支持される先端用覆工板２５０と、先端用フレーム部２１０及び先端用覆工板２５０を固定する固定具２６０と、先端用フレーム部２１０を支持する支保工部４０とを有備えている。
【００２４】
図６は先端用フレーム部２１０の概略構成を示す上面図であり、図７は図６のＶＩＩ−ＶＩＩ切断線から見た先端用フレーム部２１０の概略構成を示す側面図である。先端用フレーム部２１０は、複数のフレーム材２２０と、複数のフレーム材２２０を横桁部３０に固定するための固定部２３０とを備えている。
【００２５】
フレーム材２２０は、側面視凹形状となっている。フレーム材２２０には、本体部２２１と、本体部２２１の先端部に取り付けられた調整部２２２とを備えている。調整部２２２は、本体部２２１に対して伸縮自在に取り付けられていて、これにより本体部２２１全体の長さを調節できるようになっている。具体的に説明すると、本体部２２１の先端部には長穴２２３が形成されている。調整部２２２には、この長穴２２３に係合する係合ボルト２２４が螺合している。この係合ボルト２２４を緩めて、本体部２２１に対して調整部２２２を伸縮させ、所定の長さになった後に係合ボルト２２４を締結することで、本体部２２１全体の長さを調整できるようになっている。
また、本体部２２１には、他のフレーム材２２０の本体部２２１と連結し、剛性を高める補強部材２２７が設けられている。補強部材２２７は、一対のフレーム材２２０の間隔が広いところに設置されている。
【００２６】
固定部２３０は、横桁部３０上に載置される支持柱２３１と、支持柱２３１の上部に取り付けられ、フレーム材２２０を受けるフレーム受け部２３２と、奥行き方向Yに延在した角形鋼管２８０とを備えている。
【００２７】
先端用覆工板２５０は、金属製の板状部材であり、図１に示すようにプラットホームＰの奥行き方向Ｙに沿って延在するように配置されている。そして先端用覆工板２５０は複数幅方向Ｘに沿って配列されることで、平面状に敷設されている。先端用覆工板２５０の所定箇所には固定具２６０が係合する係合部２５１が設けられている。
【００２８】
固定具２６０は、図７に示すように、板金により形成されていて、先端用フレーム部２１０のフレーム材２２０と固定部２３０とに係止されている。この固定具２６０の上部には、先端用覆工板２５０と略平行に延出する延出部２６１が形成されていて、この延出部２６１と、先端用覆工板２５０の係合部２５１とが対向するようになっている。そして、この延出部２６１と係合部２５１との両者を固定ネジ２７１とナット２７２とにより締結することにより、先端用フレーム部２１０と先端用覆工板２５０とが固定されることとなる。なお、固定ネジ２７１とナット２７２との締結を解除すれば、先端用フレーム部２１０と先端用覆工板２５０との固定も解除され、先端用覆工板２５０を取り外すことも可能となる。
【００２９】
図８は支保工部４０の概略構成を示す側面図である。図８に示すように、支保工部４０には、先端用フレーム部２１０が載置される台座４１と、台座４１を支持する脚部４２とが設けられている。脚部４２には、台座４１に固定された固定脚４３と、台座４１に回動自在に連結された回動脚４４と、固定脚４３及び回動脚４４の下端部に取り付けられた中折れ式の開き止め金具４５とが設けられている。この開き止め金具４５を折り曲げることで、回動脚４４が固定脚４３側に接近し、支保工部４０全体が折り畳まれることになる（図９参照）。また、固定脚４３及び回動脚４４の下端部には、円筒状の係合部４６が設けられている。この係合部４６内には、土台に設置される支持部４７が挿通されていて、両者の固定位置を調整することで支持部４７の突出量を調整することができるようになっている。この支持部４７の突出量を調整することにより台座４１の高さ位置を調整することができるようになっている。
【００３０】
次に、上記の仮覆工構造１を用いて盛土式プラットホームを桁式ホーム化する桁式ホーム化工法について説明する。
まず、プラットホームＰの改修施工前においては、フレーム部２０、支保工部４０ともに折り畳まれた状態で改修箇所近傍に複数搬入する。同様に、覆工板１０、先端用覆工板２５０及び先端用フレーム部２１０も改修箇所に複数搬入する。
【００３１】
そして、盛土式プラットホームＰのホーム部１００からホーム用化粧板（図示省略）を除去するとともに、ホーム先端部２００から先端用化粧板（図示省略）を除去する。ホーム用化粧板とは例えばアスファルトやタイル等であり、先端用化粧板とはすべり止め用のクリーンタイルや、警告板等である。各化粧板の除去後においては、図１０に示すように支柱３００を埋設して、当該支柱３００上に横桁部３０を設置して、ホーム用化粧板及び先端化粧板の除去位置に対して横桁部３０を複数配置する。このとき、盛土式プラットホームＰをなすブロックＢの一部を除去して、その除去部分に横桁部３０を配置する。これにより、横桁部３０の先端部がブロックＢにより支持される。
【００３２】
横桁部３０の設置後、ホーム部１００においては、フレーム部２０を展開してから、隣り合う横桁部３０上に掛け渡す。この際、フレーム部２０における縦根太材２１，２２の固定穴２５内に、横桁部３０の固定ネジ３１を挿通して位置決めをし、ネジ止めすることで、横桁部３０とフレーム部２０とを固定する。
【００３３】
その後、フレーム部２０上に、複数の覆工板１０を平面状に敷設する。この際、覆工板１０の切欠１１を、フレーム部２０の位置決めピン２６に係合させて、覆工板１０の位置決めを行う。これを修復対象全域にわたって施す。
また、ホーム先端部２００においては、各横桁部３０上に先端用フレーム部２１０を掛け渡した後、この先端用フレーム部２１０上に複数の先端用覆工板２５０を平面状に敷設する。
このように、覆工板１０及び先端用覆工板２５０を敷設すれば、翌日の営業が可能な状態となる。
【００３４】
次いで、次回の改修工事の際には、図１１に示すように、横桁部３０を支持するブロックＢ以外のブロックＢを撤去する。この撤去により形成された空間には支保工部４０を設置し、当該支保工部４０により先端用フレーム部２１０を支持する。支保工部４０の設置後においても、翌日の営業か可能な状態となるように、覆工板１０及び先端用覆工板２５０を敷設する。
【００３５】
次いで、次回の改修工事の際には、図１２に示すように、覆工板１０、先端用覆工板２５０、支保工部４０、フレーム部２０及び先端用フレーム部２１０を取り除いて、横桁部３０に対してＰＣ板４００を掛け渡す。そして、ＰＣ板４００の上に新たなホーム用化粧板（図示省略）及び先端用化粧板５００を敷設することで、改修工事が完了する。
【００３６】
以上のように、本実施形態のプラットホームＰの仮ホーム構造１によれば、フレーム部２０が折り畳み自在となっているので、従来のように角材、合板、ゴムマットなどで仮覆工を行う場合よりも、短時間に仮覆工を行うことが可能となる。
また、ホーム部１００とホーム先端部２００とが、別個の構造となっているので、ホーム先端部２００においては、ホーム部１００に制約されることなく先端部特有の構造とすることができる。これにより、ホーム部１００とホーム先端部２００それぞれに適切な構造とすることができ、それに応じて作業も簡素化することができる。したがって仮覆工の短時間が図られることとなる。
【００３７】
さらに、支保工部４０も折り畳み自在であるので、支保工部４０の設置時間も短縮することが可能となる。
また、一対のフレーム材２２０の間には補強部材２２７が掛け渡されているので、一対のフレーム材２２０の剛性を高めることができる。
また、フレーム材２２０が長さ調整可能であるので、設置箇所の条件に応じた長さに調整することができる。
【００３８】
また、先端用フレーム部２１０の調整部２２２は、本体部２２１に対して伸縮自在に取り付けられているので、設置箇所の幅に対応するように先端用フレーム２１０の長さを調整することができる。
また、先端用フレーム部２１０と先端用覆工板２５０とを固定する固定具が備えられているので、
【００３９】
また、固定ネジ２７１とナット２７２との締結を解除すれば、先端用フレーム部２１０と先端用覆工板２５０との固定も解除され、先端用覆工板２５０を取り外すことも可能となっているので、先端用覆工板２５０は、先端用化粧板が除去されてからＰＣ板４００が敷設されるまでの間、先端用フレーム部２１０に対して着脱自在となっている。このように着脱自在であるので、先端用覆工板２５０を設置した後でも先端用覆工板２５０を取り外しての作業が可能となる。
【００４０】
なお、本発明は上記実施形態に限らず適宜変更可能であるのは勿論である。
例えば、覆工板１０及び先端用覆工板２５０においては、高さ調節機構を有していることが好ましい。ホーム部１００及びホーム先端部２００に段差が生じる場合においても、覆工板１０及び先端用覆工板２５０それぞれの高さ調整機構で高さ調整すれば、段差を解消することが可能である。
【００４１】
また、上記実施形態では、支保工部４０を用いて先端用フレーム部２１０を支持する場合を例示しして説明したが、支保工部４０を用いずに桁式ホーム化を行うことも可能である。以下に、支保工部４０を用いない場合の桁式ホーム化工法について説明する。
まず、プラットホームＰの改修施工前においては、折り畳まれたフレーム部２０を改修箇所近傍に複数搬入する。同様に、覆工板１０、先端用覆工板２５０及び先端用フレーム部２１０も改修箇所に複数搬入する。
【００４２】
そして、盛土式プラットホームＰから、化粧板を除去し、図１０に示すように支柱３００を埋設して、当該支柱３００上に横桁部３０を設置する。このとき、盛土式プラットホームＰをなすブロックＢの一部を除去して、その除去部分に横桁部３０を配置する。これにより、横桁部３０の先端部がブロックＢにより支持される。
【００４３】
横桁部３０の設置後、ホーム部１００においては、フレーム部２０を展開してから、隣り合う横桁部３０上に掛け渡す。この際、フレーム部２０における縦根太材２１，２２の固定穴２５内に、横桁部３０の固定ネジ３１を挿通して位置決めをし、ネジ止めすることで、横桁部３０とフレーム部２０とを固定する。
【００４４】
その後、フレーム部２０上に、複数の覆工板１０を平面状に敷設する。この際、覆工板１０の切欠１１を、フレーム部２０の位置決めピン２６に係合させて、覆工板１０の位置決めを行う。これを修復対象全域にわたって施す。
また、ホーム先端部２００においては、各横桁部３０上に先端用フレーム部２１０を掛け渡した後、この先端用フレーム部２１０上に複数の先端用覆工板２５０を平面状に敷設する。
このように、覆工板１０及び先端用覆工板２５０を敷設すれば、翌日の営業が可能な状態となる。
【００４５】
次いで、次回の改修工事の際には、図１３に示すように、一番上のブロックＢを撤去する。撤去後においても、翌日の営業か可能な状態となるように、覆工板１０及び先端用覆工板２５０を敷設する。
【００４６】
次いで、次回の改修工事の際には、図１４に示すように、覆工板１０、先端用覆工板２５０、フレーム部２０及び先端用フレーム部２１０を取り除いて、横桁部３０に対してＰＣ板４００を掛け渡す。そして、ＰＣ板４００の上に化粧板５００を敷設することで、改修工事が完了する。
【符号の説明】
【００４７】
１      仮ホーム構造
１０      覆工板
１１      切欠
２０      フレーム部
２１，２２    縦根太材
２３，２４    横根太材
２５      固定穴
２６      位置決めピン
２９      補助根太材
３０      横桁部
３１      固定ネジ
４０      支保工部
４１      台座
４２      脚部
４３      固定脚
４４      回動脚
４５      開き止め金具
４６      係合部
４７      支持部
５０      折り畳み機構
５１      連結片
５２      軸体
１００      ホーム部
２００      ホーム先端部
２２０      フレーム材
２２１      本体部
２２２      調整部
２２３      長穴
２２４      係合ボルト
２２７      補強部材
２３０      固定部
２３１      支持柱
２３２      フレーム受け部
２５０      先端用覆工板
３００      支柱
４００      ＰＣ板
５００      化粧板
Ｂ      ブロック
Ｐ      プラットホーム
Ｘ      幅方向
Ｙ      奥行き方向
【図１】
2011196094.tif 000003
【図２】
2011196094.tif 000004
【図３】
2011196094.tif 000005
【図４】
2011196094.tif 000006
【図５】
2011196094.tif 000007
【図６】
2011196094.tif 000008
【図７】
2011196094.tif 000009
【図８】
2011196094.tif 000010
【図９】
2011196094.tif 000011
【図１０】
2011196094.tif 000012
【図１１】
2011196094.tif 000013
【図１２】
2011196094.tif 000014
【図１３】
2011196094.tif 000015
【図１４】
2011196094.tif 000016